(57)【要約】【課題】電動機のコストや電動機の交換といったメンテナンスの工数の増加を低減することを目的とする。【解決手段】調理器１上方に箱体の本体２と、本体２の内部に羽根車ケーシング３と羽根車ケーシング３の内部に設けた羽根車４と、羽根車ケーシング３あるいは本体２に羽根車４を回転させる回転軸５を有した電動機６と、羽根車ケーシング３に設けたオリフィス２２と、本体２の下方に設けた吸込口９と、本体２の内部に油捕集機構部１０を設け、回転軸５に油捕集機構部１０と羽根車４を設け、１つの電動機６の回転軸５に油捕集機構部１０と羽根車４とを設け回転軸５の回転数と同じ回転数で油捕集機構部１０と羽根車４とが回転し、電動機６のコストや電動機６の交換といったメンテナンスの工数の増加を低減するレンジフードを得られる。【選択図】図１
2016180530.tif 000002
【特許請求の範囲】
【請求項１】
調理器の上方に箱体の本体と、前記本体の内部に羽根車ケーシングと前記羽根車ケーシングの内部に設けた羽根車と、前記羽根車ケーシングあるいは前記本体に前記羽根車を回転させる回転軸を有した電動機と、前記羽根車ケーシングに設けたオリフィスと、前記本体の下方に設けた吸込口と、前記本体の内部に油捕集機構部を設け、前記回転軸に前記油捕集機構部と前記羽根車を設けたことを特徴とするレンジフード。
【請求項２】
油捕集機構部を吸込口と羽根車との間に設けたことを特徴とする請求項１に記載のレンジフード。
【請求項３】
油捕集機構部の円周方向の周囲に油誘導部を設け、前記油誘導部の近傍にオイルキャッチを設けたことを特徴とする請求項１または２に記載のレンジフード。
【請求項４】
油捕集機構部をオリフィスと羽根車との間に設けたことを特徴とする請求項１に記載のレンジフード。
【請求項５】
油捕集機構部に変速装置を設けたことを特徴とする請求項１から４のいずれかに記載のレンジフード。
【請求項６】
油捕集機構部を羽根車の吸込口に設け、前記油捕集機構部と前記羽根車とを一体にすることを特徴とする請求項１に記載のレンジフード。
【発明の詳細な説明】
【技術分野】
【０００１】
本発明は、レンジフードに取り付けるフィルター等の油捕集機構部の駆動に関するものである。
【背景技術】
【０００２】
従来、この種のレンジフードは、調理で発生する油煙や埃等を捕集する目的としてフィルターが取り付けられているものが知られている（例えば、特許文献１参照）。
【０００３】
以下、そのレンジフードについて図４を参照しながら説明する。
【０００４】
図４は、特許文献１に開示されている従来のレンジフード１００の構成図である。油等の汚れを含む空気１０１は、吸込口１０２を通過して排気装置１０３の前方に配置されたフィルター１０４を通過する。センサー１０６がフィルター１０４の汚れを検知すると、駆動装置１０５がフィルター１０４を回転させて、汚れを遠心力で除去する。
【先行技術文献】
【特許文献】
【０００５】
【特許文献１】特開平３−１６４６３９号公報
【発明の概要】
【発明が解決しようとする課題】
【０００６】
このような従来のレンジフードにおいては、羽根車を回転させる電動機とフィルターを回転させる電動機が別々に存在しコストや電動機の交換といったメンテナンスの工数が増加する、という課題を有していた。
【０００７】
そこで本発明は、上記従来の課題を解決するものであり、電動機のコストや電動機の交換といったメンテナンスの工数の増加を低減するレンジフードを提供することを目的とする。
【課題を解決するための手段】
【０００８】
そして、この目的を達成するために、本発明は、調理器の上方に箱体の本体と、前記本体の内部に羽根車ケーシングと前記羽根車ケーシングの内部に設けた羽根車と、前記羽根車ケーシングあるいは前記本体に前記羽根車を回転させる回転軸を有した電動機と、前記羽根車ケーシングに設けたオリフィスと、前記本体の下方に設けた吸込口と、前記本体の内部に油捕集機構部を設け、前記回転軸に前記油捕集機構部と前記羽根車を設けたこととしたものであり、これにより所期の目的を達成するものである。
【発明の効果】
【０００９】
本発明によれば、調理器の上方に箱体の本体と、前記本体の内部に羽根車ケーシングと前記羽根車ケーシングの内部に設けた羽根車と、前記羽根車ケーシングあるいは前記本体に前記羽根車を回転させる回転軸を有した電動機と、前記羽根車ケーシングに設けたオリフィスと、前記本体の下方に設けた吸込口と、前記本体の内部に油捕集機構部を設け、前記回転軸に前記油捕集機構部と前記羽根車を設けた、という構成にしたことにより、１つの電動機の回転軸に油捕集機構部と羽根車とを設け回転軸の回転数と同じ回転数で油捕集機構部と羽根車とが回転することとなるので、電動機のコストや電動機の交換といったメンテナンスの工数の増加を低減する、という効果を得ることができる。
【図面の簡単な説明】
【００１０】
【図１】本発明の実施の形態１のレンジフードの内部構造を示す側面図
【図２】本発明の実施の形態２のレンジフードの内部構造を示す側面図
【図３】本発明の実施の形態３のレンジフードを示す図（（ａ）羽根車を示す斜視図、（ｂ）内部構成を示す側面図）
【図４】従来のレンジフードの内部構造を示す側面断面図
【発明を実施するための形態】
【００１１】
本発明の請求項１記載のレンジフードは、調理器の上方に箱体の本体と、前記本体の内部に羽根車ケーシングと前記羽根車ケーシングの内部に設けた羽根車と、前記羽根車ケーシングあるいは前記本体に前記羽根車を回転させる回転軸を有した電動機と、前記羽根車ケーシングに設けたオリフィスと、前記本体の下方に設けた吸込口と、前記本体の内部に油捕集機構部を設け、前記回転軸に前記油捕集機構部と前記羽根車を設けた、という構成を有する。これにより、１つの電動機の回転軸に油捕集機構部と羽根車とを設け回転軸の回転数と同じ回転数で油捕集機構部と羽根車とが回転することとなるので、電動機のコストや電動機の交換といったメンテナンスの工数の増加を低減する、という効果を奏する。
【００１２】
また、油捕集機構部を吸込口と羽根車との間やオリフィスと羽根車との間に設けた、という構成にしてもよい。これにより、油煙や埃は吸込口から吸い込まれ最初に油捕集機構部を通過して油や埃が捕集され次に羽根車に吸い込まれることとなるので、排気風量の性能を維持しつつ油や埃の羽根車への付着を低減することができる、という効果を奏する。
【００１３】
また、油捕集機構部の円周方向の周囲に油誘導部を設け、前記油誘導部の近傍にオイルキャッチを設けた、という構成にしてもよい。これにより、油捕集機構部によって捕集された油は油捕集機構部の回転によって円周方向に飛散し、飛散した油が油誘導部を流れ、オイルキャッチに溜まることとなるので、捕集された油を回収することができる、という効果を奏する。
【００１４】
また、油捕集機構部に変速装置を設けた、という構成にしてもよい。これにより、回転軸の回転数が変速装置に伝わって回転数が変化しその変化した回転数で油捕集機構部が回転することとなるので、油捕集機構部や羽根車を油や埃の捕集と排気風量とに適した回転にすることができる、という効果を奏する。
【００１５】
また、油捕集機構部を羽根車の吸込口に設け、前期油捕集機構部と前記羽根車が一体である、という構成にしてもよい。これにより、油煙や埃は吸込口から吸い込まれ最初に油捕集機構部を通過して油や埃が捕集され次に羽根車に吸い込まれるとなるので、排気風量の性能を維持しつつ油や埃の羽根車への付着を低減することができる、という効果を奏する。
【００１６】
以下、本発明の実施の形態について図面を参照しながら説明する。
【００１７】
（実施の形態１）
図１に示すようにレンジフードは、ガスやＩＨの調理器１の上方に箱体の本体２を設ける。
【００１８】
そして、本体２の内部に渦渦巻き形状の羽根車ケーシング３を設ける。
【００１９】
また、本体２の上部１２には開口１３を設け、その開口１３に羽根車ケーシング３の吹出口１４を接続する。
【００２０】
そして、開口１３にアダプター１５をねじ（図示せず）等で接続する。
【００２１】
そして、そのアダプター１５にダクト１６を接続する。
【００２２】
そして、羽根車ケーシング３の内部には、遠心ファンである羽根車４と、羽根車ケーシング３（あるいは本体２でも可能）に羽根車４を回転させる円柱状の回転軸５を有したＤＣあるいはＡＣである電動機６を設ける。
【００２３】
そして、羽根車ケーシング３の後述する油煙１１が吸い込まれる側にオリフィス２２をねじ（図示せず）等で接続する。
【００２４】
そして、本体２の下方には、逆椀形状７を有しその内部に方形状の整流板８を設け、逆椀形状７と整流板８との間の周囲に吸込口９を設ける。
【００２５】
そして、本体２の内部の回転軸５に、電動機６側から羽根車４とそして例えば円板状のパンチング穴を複数有した金属製のフィルターである油捕集機構部１０とを設ける構成とする。
【００２６】
これにより、調理器１から生じる油煙１１は、吸込口９に吸い込まれる。
【００２７】
そして、吸込口９から吸い込まれた油煙１１は、本体２内部を通って油捕集機構部１０へ向かって進む。
【００２８】
そして、油煙１１は、油捕集機構部１０を通過して羽根車４の内部に吸い込まれて円周方向へ吹き出す。
【００２９】
そして、油煙１１は、羽根車ケーシング３の内側に沿って流れ、アダプター１５を通過しダクト１６に沿って流れ屋外へ排出される。
【００３０】
これにより、１つの電動機６の回転軸５に油捕集機構部１０と羽根車４とを設けるので、回転軸５の回転数と同じ回転数で油捕集機構部１０と羽根車４とが回転することとなる。
【００３１】
よって、電動機６のコストを低減することができる。というのは、今までは、油捕集機構部１０用と羽根車４用との２つの電動機を使用していたが、本実施の形態では１つの電動機６のみなので、その分、電動機６のコストを低減することができる、ということである。
【００３２】
また、メンテナンスの工数の増加を低減することができる。というのは、今までは、油捕集機構部１０用と羽根車４用との２つの電動機を使用していたが、本実施の形態では１つの電動機６のみなので、その分、電動機６のメンテナンスの工数を低減することができる、ということである。
【００３３】
また、油捕集機構部１０を、吸込口９と羽根車４との間に設ける。
【００３４】
これにより、油煙１１や埃１７は吸込口９から吸い込まれる。
【００３５】
そして、最初に油捕集機構部１０を通過して油や埃１７が捕集される、すなわち、油の場合はパンチング穴以外の油捕集機構部１０に付着し、埃１７の場合はパンチング穴以外の油捕集機構部１０で遮断され、例えば、電気的に付着したりして油捕集機構部１０に残る。そして、次に羽根車４に吸い込まれ、羽根車４に油煙１１の油が付着し羽根車４自体が重くなり回転数が低下するのを防止することができるので、排気風量の性能を維持しつつ油や埃１７の羽根車４への付着を低減することができる。
【００３６】
また、油捕集機構部１０の円周方向の周囲に油誘導部１９を設ける。そして、油誘導部１９の下方には誘導され流れていく油を取り除くための油抜き穴２０を設ける。そして、油抜き穴２０を通って流れる油を溜めるオイルキャッチ２１は油抜き穴２０の下部に設ける。
【００３７】
これにより、油捕集機構部１０を通過して捕集された油が、油捕集機構部１０の回転による遠心力により円周方向の周囲へ飛散する。そして、飛散した油は油誘導部１９によって重力によって下方へ誘導され、油抜き穴２０を通過してオイルキャッチ２１に溜めることができる。よって、捕集された油は廃油用に回収することができる。
【００３８】
また、羽根車ケーシング３の下部に油を取り除くための油抜き穴２０を設ける。そして、油は、油抜き穴２０を通ってオイルキャッチ２１に溜まる。そして、オイルキャッチ２１は油抜き穴２０の下部に設ける。
【００３９】
これにより、羽根車ケーシング３内に溜まった油は、油抜き穴２０を通過してオイルキャッチ２１に溜めることができるので、羽根車ケーシング３内の油を回収することができる。
【００４０】
また、油捕集機構部１０に例えば遊星歯車機構を用いて入力の速度と出力の速度を変更させるメカニズムの変速装置１８を設ける。
【００４１】
そして、回転軸５に油捕集機構部１０を接続する。
【００４２】
これにより、回転軸５の回転数が変速装置１８に伝わって回転数が増減して変化し、その変化した回転数で油捕集機構部１０が回転する。
よって、油捕集機構部１０や羽根車４を油や埃１７の捕集と排気風量とに適した回転にすることができる。
【００４３】
また、図２に示すように、油捕集機構部１０をオリフィス２２と羽根車４の間に設ける。
【００４４】
これにより、油煙１１や埃１７は吸込口９から吸い込まれ、オリフィス２２を経て、最初に油捕集機構部１０を通過して油や埃１７が捕集される。次に羽根車４に吸い込まれ、羽根車４に油煙１１の油が付着し羽根車４自体が重くなり回転数が低下するのを防止することができるので、排気風量の性能を維持しつつ油や埃１７の羽根車４への付着を低減することができる。
【００４５】
また、羽根車ケーシング３内の下方に、油捕集機構部１０および羽根車４を包括した水等が溜まる洗浄タンク２３を設ける。
【００４６】
そして、洗浄タンク２３より下方に、洗浄液２４を貯水する貯水装置２５と給水ポンプ２６を本体２内の奥側の下方に設ける。そして、給水ポンプ２６に接続され、洗浄タンク２３の上方で油捕集機構部１０と羽根車４に散水できるように散水ノズル２７を設けた散水手段２８を構成している。
【００４７】
そして、洗浄タンク２３の下端部に小孔を設けて、洗浄タンク２３内の洗浄液２４を貯排する開閉弁２９を設け、開閉弁２９の下方において洗浄タンク２３内に散乱した油等を含んだ汚水を回収する回収手段３０を構成している。
【００４８】
これにより、油捕集機構部１０および羽根車４の洗浄を行う時は、油捕集機構部１０および羽根車４が回転する。そして、散水ノズル２７から油捕集機構部１０および羽根車４に散水し油捕集機構部１０および羽根車４の表面を洗浄する。また、開閉弁２９を閉じることで洗浄タンク２３内部に洗浄液２４を貯水し、油捕集機構部１０および羽根車４を浸漬させることで、油煙１１や埃１７等を洗浄液２４の表面上に浮き上がらせ、洗浄させる。
【００４９】
また、図３に示すように油捕集機構部１０を羽根車４の吸込口に設け、油捕集機構部１０と羽根車４を一体にする。
【００５０】
これにより、油煙１１や埃１７は吸込口９から吸い込まれ、オリフィス２２を経て、最初に油捕集機構部１０を通過して油や埃１７が捕集される。そして、捕集された油や埃１７は、遠心力により羽根車４の円周方向へ流れて飛散するので、羽根車４に油煙１１の油が付着し羽根車４自体が重くなり回転数が低下するのを防止することができる。よって、排気風量の性能を維持しつつ油や埃１７の羽根車４への付着を低減することができる。
【産業上の利用可能性】
【００５１】
本発明にかかるレンジフードは、汚れをフィルターで捕集しフィルターのメンテナンスの必要な換気装置等にも適用することができる。
【符号の説明】
【００５２】
１    調理器
２    本体
３    羽根車ケーシング
４    羽根車
５    回転軸
６    電動機
７    逆椀形状
８    整流板
９    吸込口
１０  油捕集機構部
１１  油煙
１２  上部
１３  開口
１４  吹出口
１５  アダプター
１６  ダクト
１７  埃
１８  変速装置
１９  油誘導部
２０  油抜き穴
２１  オイルキャッチ
２２  オリフィス
２３  洗浄タンク
２４  洗浄液
２５  貯水装置
２６  給水ポンプ
２７  散水ノズル
２８  散水手段
２９  開閉弁
３０  回収手段
【図１】
2016180530.tif 000003
【図２】
2016180530.tif 000004
【図３】
2016180530.tif 000005
【図４】
2016180530.tif 000006